(57)【要約】【課題】複数のフィルタを備え、使用時には排水口に固定され、そして相互間が固定されておりながら、使用者の清掃要望に応じて多様な取り外しが可能な残菜フィルタを備えた食器洗い機を実現する。【解決手段】洗浄槽２の底部に設けられた排水口１９と、排水口１９に着脱自在に固定される残菜フィルタ２３を備え、残菜フィルタ２３は、互いに着脱自在に固定される第１のフィルタ５１と第２のフィルタ５２によって構成され、第１のフィルタ５１と第２のフィルタ５２が固定され一体となった状態で排水口１９から取り外し可能で、かつ、第１のフィルタ５１と第２のフィルタ５２のそれぞれを単独でも排水口１９から取り外し可能に構成されたことにより、使用者の清掃要望に応じて多様な取り外しが可能な残菜フィルタ２３を備えた食器洗い機を実現することができる。【選択図】図１４
2019030517.tif 000002
【特許請求の範囲】
【請求項１】
本体と、前記本体内に設けられ、食器等の被洗浄物を収容する洗浄槽と、前記洗浄槽内に収容された被洗浄物を洗浄する洗浄装置と、前記洗浄槽の底部に設けられた排水口と、前記排水口に着脱自在に固定される残菜フィルタとを備え、
前記残菜フィルタは、互いに着脱自在に固定される複数のフィルタによって構成され、前記複数のフィルタが固定され一体となった状態で前記排水口から取り外し可能で、かつ、前記複数のフィルタのそれぞれを単独でも前記排水口から取り外し可能に構成された食器洗い機。
【請求項２】
前記残菜フィルタは、第１のフィルタおよび第２のフィルタを備え、
前記第１のフィルタは、略円筒状に形成され外周部に洗浄水が流通可能な多数の孔を有し、
前記第２のフィルタは、有底略円筒状に形成され外周部に洗浄水が流通可能な多数の孔を有し、前記第１のフィルタの内側に着脱自在に固定され、
前記残菜フィルタは、前記第２のフィルタを前記排水口に対して所定角度回転させることにより、前記第１のフィルタと第２のフィルタとが固定され一体となった状態で前記排水口から取り外されるように構成された請求項１に記載の食器洗い機。
【請求項３】
前記第２のフィルタは、上面に把手部を備え、
前記残菜フィルタは、前記把手部を所定角度回転させることにより前記排水口から取り外される請求項２に記載の食器洗い機。
【請求項４】
前記第２のフィルタは、前記第１のフィルタに着脱自在に固定される係止部を備えた請求項２または３に記載の食器洗い機。
【請求項５】
前記第１のフィルタと第２のフィルタとは、一体で回転するように互いに係合部が設けられた請求項２〜４のいずれか１項に記載の食器洗い機。
【請求項６】
前記第１のフィルタは、前記第２のフィルタの前記把手部の基部が係合する第１の係合部と、前記第１の係合部の対角位置に第２の係合部とを内周部に備えた請求項５に記載の食器洗い機。
【請求項７】
前記第１の係合部および第２の係合部は、前記第１のフィルタの上面より上方に突出させて設けられ、
使用者が前記第１の係合部と前記第２の係合部とに指を掛けて所定角度回転させることにより、前記第１のフィルタは単独で前記排水口から取り外されるように構成された請求項６に記載の食器洗い機。
【請求項８】
前記洗浄槽の底部に設けられた水溜部と、前記水溜部の上部開口部を覆う水溜部蓋とを備え、
前記排水口は前記水溜部に配設され、
前記第１のフィルタは、前記排水口に固定された状態では前記水溜部蓋より下方に位置し、前記水溜部蓋が前記水溜部を覆った状態で前記排水口から取り外せるよう構成された請求項１〜７のいずれか１項に記載の食器洗い機。
【発明の詳細な説明】
【技術分野】
【０００１】
本発明は、洗浄槽内に収納された食器等の被洗浄物を洗浄する食器洗い機に関するもので、特に、残菜フィルタに関するものである。
【背景技術】
【０００２】
従来の食器洗い機は、洗浄水に含まれる残菜や汚れの捕集性能を向上させるため、複数の残菜フィルタを備えた食器洗い機が提案されている（例えば、特許文献１および特許文献２参照）。図１８は、特許文献１に記載された食器洗い機のフィルタが載置された排水口部の要部縦断面図である。図１８に示されるように、３種のフィルタ１０２〜１０４が１個のフィルタ１０１として一体形成されている。図１９は、特許文献２に記載された食器洗浄機の濾過装置収容室に濾過装置を収容した状態の断面図である。この食器洗浄機は、図１９に示されるように、濾過装置収容室に３個のフィルタ１０５〜１０７が、それぞれ個別に着脱自在に挿入配置されている。
【先行技術文献】
【特許文献】
【０００３】
【特許文献１】特開２００２−２０９８２５号公報
【特許文献２】特開平７−１８４８２０号公報
【発明の概要】
【発明が解決しようとする課題】
【０００４】
複数の残菜フィルタを備えた食器洗い機においては、残菜フィルタ毎に、捕集する残菜や汚れの大きさが異なる。したがって、残菜フィルタ毎に、使用者が清掃するタイミングが異なる。
【０００５】
しかしながら、上記特許文献１に記載された従来の食器洗い機の構成では、３種のフィルタ１０２〜１０４が１個のフィルタ１０１として一体形成されているため、必要な時期に取り外して清掃したいという使用者の要望に細やかに応えることができなかった。
【０００６】
また、上記特許文献２に記載された従来の食器洗い機の構成は、上記特許文献１に記載された従来の食器洗い機の有する課題は解決できるものの、３個のフィルタ１０５〜１０７が濾過装置収容室１０８内に、あるいは他のフィルタ内にフリーな状態で挿入されているので、多量の洗浄水を使用し、洗浄水を強力に噴射し、濾過装置収容室１０８内の洗浄水の流れも急激である食器洗い機においては、不安定であるという課題を有していた。
【０００７】
本発明は、前記従来の課題を解決するもので、複数のフィルタを備え、使用時には排水口に固定され、そして相互間が固定されておりながら、使用者の清掃要望に応じて多様な取り外しが可能な残菜フィルタを備えた食器洗い機を提供することを目的とする。
【課題を解決するための手段】
【０００８】
本発明は上記目的を達成するために、本体と、前記本体内に設けられ、食器等の被洗浄物を収容する洗浄槽と、前記洗浄槽内に収容された被洗浄物を洗浄する洗浄装置と、前記洗浄槽の底部に設けられた排水口と、前記排水口に着脱自在に固定される残菜フィルタとを備え、前記残菜フィルタは、互いに着脱自在に固定される複数のフィルタによって構成され、前記複数のフィルタが固定され一体となった状態で前記排水口から取り外し可能で、かつ、前記複数のフィルタのそれぞれを単独でも前記排水口から取り外し可能に構成されたもので、複数のフィルタを備え、使用時には排水口に固定され、そして相互間が固定
されておりながら、使用者の清掃要望に応じて多様な取り外しが可能な残菜フィルタを備えた食器洗い機を提供することができる。
【発明の効果】
【０００９】
本発明の食器洗い機は、複数のフィルタを備え、使用時には排水口に固定され、そして相互間が固定されておりながら、使用者の清掃要望に応じて多様な取り外しが可能な残菜フィルタを備えた食器洗い機を提供することができる。
【図面の簡単な説明】
【００１０】
【図１】本発明の実施の形態１における食器洗い機の上扉体および下扉体が開かれた状態の正面外観斜視図
【図２】本発明の実施の形態１における食器洗い機の背面外観斜視図
【図３】本発明の実施の形態１における食器洗い機の正面図
【図４】本発明の実施の形態１における食器洗い機の要部正面断面図
【図５】本発明の実施の形態１における食器洗い機の上扉体および下扉体が閉じられた状態の側壁部断面図
【図６】本発明の実施の形態１における食器洗い機の上扉体および下扉体が開かれた状態の側面図
【図７】本発明の実施の形態１における食器洗い機の上食器かごの構成を示す斜視図
【図８】本発明の実施の形態１における食器洗い機の下食器かごの構成を示す斜視図
【図９】本発明の実施の形態１における食器洗い機の洗浄槽の水溜部および排水口の構成を示す上面断面図
【図１０】本発明の実施の形態１における食器洗い機の洗浄槽の水溜部および排水口の構成を示す、水溜部蓋が取り除かれた状態の上面断面図
【図１１】本発明の実施の形態１における食器洗い機の洗浄槽の水溜部および排水口の構成を示す図１１のＡ−Ａ断面斜視図
【図１２】本発明の実施の形態１における食器洗い機の洗浄槽の水溜部および排水口の構成を示す図１１のＢ−Ｂ断面斜視図
【図１３】本発明の実施の形態１における食器洗い機の洗浄槽の水溜部および排水口の構成を示す図１２のＣ−Ｃ断面図
【図１４】本発明の実施の形態１における食器洗い機の残菜フィルタに関連する部分の分解斜視図
【図１５】（ａ）〜（ｄ）本発明の実施の形態１における食器洗い機の残菜フィルタの取り外し手順の説明図
【図１６】本発明の実施の形態１における食器洗い機の洗浄およびすすぎ動作時の残菜フィルタおよび排水口まわりの洗浄水の流れを示す説明図
【図１７】本発明の実施の形態１における食器洗い機の排水動作時の残菜フィルタおよび排水口まわりの洗浄水の流れを示す説明図
【図１８】従来の食器洗い機のフィルタが搭載された排水口部の要部縦断面図
【図１９】他の従来の食器洗い機の濾過装置収容室に濾過装置を収容した状態の断面図
【発明を実施するための形態】
【００１１】
第１の発明の食器洗い機は、本体と、前記本体内に設けられ、食器等の被洗浄物を収容する洗浄槽と、前記洗浄槽内に収容された被洗浄物を洗浄する洗浄装置と、前記洗浄槽の底部に設けられた排水口と、前記排水口に着脱自在に固定される残菜フィルタとを備え、前記残菜フィルタは、互いに着脱自在に固定される複数のフィルタによって構成され、前記複数のフィルタが固定され一体となった状態で前記排水口から取り外し可能で、かつ、前記複数のフィルタのそれぞれを単独でも前記排水口から取り外し可能に構成されたものである。
【００１２】
この構成によって、複数のフィルタを備え、使用時には排水口に固定され、そして相互間が固定されておりながら、使用者の清掃要望に応じて多様な取り外しが可能な残菜フィルタを備えた食器洗い機を提供することができる。
【００１３】
第２の発明は、特に、第１の発明において、前記残菜フィルタは、第１のフィルタおよび第２のフィルタを備え、前記第１のフィルタは、略円筒状に形成され外周部に洗浄水が流通可能な多数の孔を有し、前記第２のフィルタは、有底略円筒状に形成され外周部に洗浄水が流通可能な多数の孔を有し、前記第１のフィルタの内側に着脱自在に固定され、
前記残菜フィルタは、前記第２のフィルタを前記排水口に対して所定角度回転させることにより、前記第１のフィルタと第２のフィルタとが固定され一体となった状態で前記排水口から取り外されるように構成されたものである。
【００１４】
この構成によって、使用者が排水口の内面および残菜フィルタの全体などを清掃したい場合に、掴みやすい第２のフィルタを操作することにより、第１のフィルタと第２のフィルタとが一体となった状態で排水口から容易に取り外せるので、残菜フィルタの清掃作業性を向上させることができる。
【００１５】
第３の発明は、特に、第２の発明において、前記第２のフィルタは、上面に把手部を備え、前記残菜フィルタは、前記把手部を所定角度回転させることにより前記排水口から取り外されるものである。この構成によって、使用者が排水口の内面および残菜フィルタの全体などを清掃したい場合に、より軽い力で簡単に第１のフィルタと第２のフィルタとが一体となった状態で残菜フィルタを取り外せるので、残菜フィルタの清掃作業性を向上させることができる。
【００１６】
第４の発明は、特に、第２または第３の発明において、前記第２のフィルタは、前記第１のフィルタに着脱自在に固定される係止部を備えたものである。この構成によって、第２のフィルタは第１のフィルタから容易に取り外されることができる。
【００１７】
第５の発明は、特に、第２〜第４のいずれかの発明において、前記第１のフィルタと第２のフィルタとは、一体で回転するように互いに係合部が設けられたものである。この構成によって、第１のフィルタは、第２のフィルタとともに回転するようになり、使用者は、第２のフィルタを回転させることにより、第１のフィルタも回転させて、前記第１のフィルタと第２のフィルタとが固定され一体となった状態で残菜フィルタを取り外すことができる。
【００１８】
第６の発明は、特に、第５の発明において、前記第１のフィルタは、前記第２のフィルタの前記把手部の基部が係合する第１の係合部と、前記第１の係合部の対角位置に第２の係合部とを内周部に備えたものである。この構成によって、第１のフィルタと第２のフィルタとが一体となった状態で取り外す時には、第２のフィルタを第１のフィルタにしっかり保持させた状態を維持して取り外すことができる。また、取りはずされた第２のフィルタを第１のフィルタに取り付ける際に、円周方向の位置決めが成された状態で取り付けることができるので、取り付け作業を効率的に行うことができる。
【００１９】
第７の発明は、特に、第６の発明において、前記第１の係合部および第２の係合部は、前記第１のフィルタの上面より上方に突出させて設けられ、使用者が前記第１の係合部と前記第２の係合部とに指を掛けて所定角度回転させることにより、前記第１のフィルタは単独で前記排水口から取り外されるように構成されたものである。この構成によって、使用者が第１の係合部と第２の係合部とに指を掛けて容易に回転させることができる。これにより、第１のフィルタを単独で排水口から容易に取り外すことができる。
【００２０】
第８の発明は、特に、第１〜第７のいずれかの発明において、前記洗浄槽の底部に設けられた水溜部と、前記水溜部の上部開口部を覆う水溜部蓋とを備え、前記排水口は前記水溜部に配設され、前記第１のフィルタは、前記排水口に固定された状態では前記水溜部蓋より下方に位置し、前記水溜部蓋が前記水溜部を覆った状態で前記排水口から取り外せるよう構成されたものである。この構成によって、水溜部蓋を取り付けたままでも残菜フィルタの排水口に対する着脱作業を効率的に行うことができる。
【００２１】
以下、本発明の実施の形態について、図面を参照しながら説明する。なお、この実施の形態によって本発明が限定されるものではない。
【００２２】
（実施の形態１）
図１は、本発明の実施の形態１における食器洗い機の上扉体および下扉体が開かれた状態の正面外観斜視図である。図２は、本発明の実施の形態１における食器洗い機の背面外観斜視図である。図３は、本発明の実施の形態１における食器洗い機の正面図である。図４は、本発明の実施の形態１における食器洗い機の要部正面断面図である。図５は、本発明の実施の形態１における食器洗い機の上扉体および下扉体が閉じられた状態の側壁部断面図である。図６は、本発明の実施の形態１における食器洗い機の上扉体および下扉体が開かれた状態の側面図である。図７は、本発明の実施の形態１における食器洗い機の上食器かごの構成を示す斜視図である。図８は、本発明の実施の形態１における食器洗い機の下食器かごの構成を示す斜視図である。
【００２３】
図１〜図６に示されるように、食器洗い機の本体１の内部には、樹脂製の洗浄槽２が設けられている。洗浄槽２の前面には、食器等の被洗浄物６が出し入れされる開口部３が設けられている。開口部３の上部と下部をそれぞれ上扉体４と下扉体５によって開閉するよう構成されている。
【００２４】
開口部３の周囲の前面には、例えばシリコンゴム等の弾性体からなるシール部材９が取付けられている。シール部材９と、上扉体４に設けられた上扉体シール受け部（図示せず）と、下扉体５に設けられた下扉体シール受け部（図示せず）とによって、開口部３のシール部が構成されている。上扉体４の下端部には扉体間シール部材６８（図示せず）が取付けられており、上扉体４と下扉体５とが閉じられたとき、上扉体４の下端部と下扉体５の上端部との間のシール性が確保されるよう構成されている。
【００２５】
上扉体４と下扉体５は、洗浄槽２の左右の外側壁に設けられた一対の扉体開閉機構１０によって連動して回動されて開閉される。上扉体４と下扉体５は、開口部３の前側下方にその内面が上向きで略水平となる位置まで開成されるよう構成されている。上扉体４と下扉体５は、開成されたとき、上扉体４が下扉体５の上に重なるように位置する。すなわち、上扉体４と下扉体５とが開成された状態では、上扉体４の内面側が最上部に位置し、使用者の目に触れやすい。なお、上扉体４は光透過部６５を備えている。下扉体５は、全面不透明に構成されている。
【００２６】
下扉体５の前面には、扉体オープンボタン１１が設けられている。上扉体４および下扉体５を開口部３に閉成された状態で洗浄槽２にロックする扉体ロック装置１２が、洗浄槽２の外側壁に設けられている。使用者が扉体オープンボタン１１を押し込むと、扉体ロック装置１２はロックが解除され、下扉体５が下端部を中心に少し回動され、上端部が、使用者の指が掛けられる程度前方に開かれるよう構成されている。
【００２７】
なお、上扉体４および下扉体５を開く方式は、上記の方式に限定されるものではない。例えば、上扉体４および下扉体５が開口部３を閉じている状態において、上扉体４および
下扉体５を開放方向に弾性的に付勢しておき、扉体ロック装置によってロックし、閉じた状態に維持しておく。使用者が扉体オープンボタンを押し込むと、扉体ロック装置はロックが解除され、上扉体４および下扉体５は、開放方向への付勢力によって自動で開成状態まで開かれる。このような方式であってもよい。
【００２８】
下扉体５の前面に、操作表示部１３が設けられている。操作表示部１３は、食器洗い機の運転を制御する制御部（図示せず）と電気的に接続されており、制御部と運転に関する情報をやりとりする。制御部は、洗い工程、すすぎ工程および乾燥工程を制御し、被洗浄物６の洗浄運転を実行する。使用者は、操作表示部１３を操作して、運転コースの選択および洗浄、すすぎ、乾燥の時間や回数等の条件を入力する。また、使用者は、操作表示部１３に表示される情報によって、選択された運転コースや運転状況の確認を行うことができる。
【００２９】
洗浄槽２の内部には、食器等の被洗浄物６がセットされる上食器かご７および下食器かご８が収納されている。上食器かご７および下食器かご８は、いずれも洗浄槽２の左右の内側面２ａ、２ｂに前後方向に個別に移動可能に支持されている。上食器かご７および下食器かご８は、上扉体４と下扉体５が開成されたとき、洗浄槽２の前面の開口部３より前方に引き出すことが可能である。
【００３０】
図７に示されるように、上食器かご７は、上食器かご本体７７と、上食器かご本体７７の左側に載置される第１のセットかご７８と、上食器かご本体７７の右側に載置される第２のセットかご７９と、上食器かご本体７７の左右に固定される側面部材７３とから構成されている。第１のセットかご７８は、着脱可能ではあるが、通常、上食器かご本体７７に取り付けられて使用される。
【００３１】
図８に示されるように、下食器かご８は、下食器かご本体８７と、下食器かご本体８７の左側に載置される第３のセットかご８８と、下食器かご本体８７の中央やや右寄りに載置される小物入れ８９と、下食器かご本体８７の左右に固定される側面部材８３とから構成されている。第３のセットかご８８は、着脱可能ではあるが、通常、下食器かご本体８７に取り付けられて使用される。
【００３２】
洗浄槽２の内部に洗浄水を供給する給水部が備えられている。給水部は、本体１に設けられた給水弁（図示せず）と、給水弁と洗浄槽２とを接続する内部給水配管と、給水弁と水道水配管とを接続する給水ホース９６とによって構成されている。制御部が、洗浄槽２の内部と連通する水位センサ（図示せず）からの情報に基づいて給水弁を制御し、洗浄およびすすぎにおいて、洗浄槽２の内部に所定量の洗浄水を供給する。
【００３３】
図４に示されるように、洗浄槽２内の下部に、複数設けられた噴射孔から洗浄水を噴射する第１の回転洗浄ノズル１４および第２の回転洗浄ノズル１５が配設されている。洗浄槽２の内部の背面には、洗浄槽２の内壁に沿わせてほぼ十字形状の固定洗浄ノズル１６が配設されている。固定洗浄ノズル１６は、扁平な筒状に形成されており、洗浄槽２の内部スペースを広く確保している。
【００３４】
固定洗浄ノズル１６の上部には、複数の噴射孔から洗浄水を噴射する垂直部位１６ａが延設されている。固定洗浄ノズル１６の右側には、複数の噴射孔を備えた第１の水平部位１６ｂが延設されている。固定洗浄ノズル１６の左側には、複数の噴射孔を備えた第２の水平部位１６ｃが延設されている。第２の水平部位１６ｃには、前方へ延設された円筒形状の回転洗浄ノズル導水路１７ａが接続されている。回転洗浄ノズル導水路１７ａの先端部には、第３の回転洗浄ノズル１７が設けられ、第２の水平部位１６ｃと連通されている。第３の回転洗浄ノズル１７は、上食器かご７の左側下方に配設されている。第３の回転
洗浄ノズル１７は、洗浄水を噴射する複数の噴射孔を上面に備え、上食器かご７の左側に収容された被洗浄物６に向けて、すぐ真下から洗浄水を噴射する。
【００３５】
洗浄槽２内に収容された被洗浄物６に向けて、第１の回転洗浄ノズル１４、第２の回転洗浄ノズル１５、固定洗浄ノズル１６、および固定洗浄ノズル１６と連通された第３の回転洗浄ノズル１７から洗浄水が順番に噴射されることにより、被洗浄物６は洗浄される。
【００３６】
図５に示されるように、すすぎ後の被洗浄物６を乾燥させる乾燥装置３０が洗浄槽２の外側部に設けられている。乾燥装置３０は、ヒータ（図示せず）、ファン３１、空気温度センサ（温度センサ２９）、送風配管３２等によって構成されている。これらの構成については、よく知られたものと同様であるので、詳しい説明は省略する。乾燥装置３０の送風配管３２は、一端が洗浄槽２内の右奥下部に設けられた乾燥用空気吹出口２ｃに連通されており、他端が洗浄槽２内の右奥上部に設けられた乾燥用空気吸込口２ｄに連通されている。この構成により、ファン３１によって送風された乾燥用空気は、洗浄槽２の内部を循環し、被洗浄物６を乾燥させる。空気温度センサ（温度センサ２９）は、洗浄槽２の底部の乾燥用空気吹出口２ｃに近い位置の外壁に設置されている。
【００３７】
洗浄槽２の水溜部１８の構成を、図を参照して説明する。図９は、本発明の実施の形態１における食器洗い機の洗浄槽の水溜部および排水口の構成を示す上面断面図である。図１０は、図９の状態から水溜部蓋が取り除かれた状態の上面断面図である。図１１は、図９のＡ−Ａ断面図である。図１４は、図９のＢ−Ｂ断面図である。図１３は、図１０のＣ−Ｃ断面図である。
【００３８】
洗浄槽２の底部には、洗浄工程およびすすぎ工程において、供給された洗浄水が溜められる水溜部１８が凹設されている。水溜部１８は、洗浄槽２の底部に開口する開口部１８ａが横長の概略長方形に形成され、その開口部１８ａから所定深さほぼ垂直に凹設されている。水溜部１８は、洗浄槽２の左右のほぼ中央の前部に設けられている。
【００３９】
水溜部１８のほぼ中央部には、さらに一段低い凹部が設けられている。その凹部に、排水口１９が設けられている。水溜部１８の底面は、排水口１９に向かってゆるやかに下り傾斜に形成されている。
【００４０】
水溜部１８の上部の開口部１８ａには、水溜部蓋２０が、洗浄槽２の底部と連続するように着脱自在に嵌め込まれている。水溜部蓋２０は、外周形状が水溜部１８の開口部１８ａと対応する横長の概略長方形に形成され、中央部が凹設されて凹部２０ａが形成されている。凹部２０ａの中央には、円形の開口２０ｂが設けられている。水溜部蓋２０が水溜部１８の開口部１８ａに装着されたとき、凹部２０ａは、排水口１９の直上に位置する。そして、排水口１９に後述する残菜フィルタ２３が取り付けられたとき、凹部２０ａの下面は、中央の円形の開口２０ｂと残菜フィルタ２３の第１のフィルタ５１の外縁部上面とが連続するように構成されている。
【００４１】
水溜部蓋２０は、凹部２０ａの傾斜面以外の平面の大部分にきわめて小さな複数の孔２０ｄが設けられている。洗浄水の多くは、この孔２０ｄから水溜部１８に落下する。この孔２０ｄから落下しなかった洗浄水は、残菜とともに凹部２０ａの下面に配設された残菜フィルタ２３に流入する。
【００４２】
水溜部蓋２０の凹部２０ａの側面上部には、溢水口２０ｃが設けられている。洗浄水が給水される洗浄水位（図１２中にＡで示されている）は、溢水口２０ｃよりやや低い高さ位置に設定されているが、運転中に残菜フィルタ２３および水溜部蓋２０の目詰まりのために洗浄水の水位が上昇した場合、洗浄水は溢水口２０ｃから溢れて排水される。
排水口１９には、残菜を捕集する残菜フィルタ２３が配設されている。残菜フィルタ２３は、水溜部蓋２０の凹部２０ａの下面より下方に配設されている。残菜フィルタ２３の構成の詳細については後述する。
【００４３】
図１２、図１５に示されるように、排水口１９は、洗浄水循環経路２１を通じて洗浄ポンプ２２の吸い込み側に連通している。洗浄工程およびすすぎ工程において、洗浄水は、水溜部蓋２０の孔２０ｄを通過したり、残菜フィルタ２３を通過したりして水溜部蓋２０に溜まる。水溜部蓋２０に溜まった洗浄水は、洗浄ポンプ２２に吸い込まれて加圧され、分水部（図示せず）によって送水先が選択され、分水されて送水される。
【００４４】
分水されて送水される洗浄水は、第１の回転洗浄ノズル１４、第２の回転洗浄ノズル１５、固定洗浄ノズル１６および固定洗浄ノズル１６と連通された第３の回転洗浄ノズル１７に供給され、各ノズルの噴射孔から噴射される。噴射された洗浄水は、被洗浄物６を洗浄もしくはすすぎ、再び排水口１９に戻る。このようにして、洗浄工程もしくはすすぎ工程において、洗浄水は循環される。
【００４５】
洗浄ポンプ２２にはヒータ２５が内設されている。循環される洗浄水は、ヒータ２５に通電されることにより、必要に応じて適宜加熱される。また、洗浄水の温度を検知する温度センサ２９が、洗浄槽２の底部の外壁に設置されている。温度センサ２９が設置される洗浄槽２の底部の外壁部分は、洗浄槽２の内側に膨出されている。その膨出部２ｅの内部に温度センサ２９を配設することにより、温度センサ２９の検出感度を向上させている。制御部は、温度センサ２９の検知情報に基づいて、ヒータ２５の通電を制御する。温度センサ２９は、サーミスタ等により構成されている。なお、温度センサ２９は、乾燥工程において洗浄槽２内の空気の温度を検知する空気温度センサも兼ねている。
【００４６】
また、排水口１９は、排水経路２６を通じて排水ポンプ２７の吸い込み側に連通している。洗浄工程およびすすぎ工程が完了して排水される洗浄水は、排水ポンプ２７によって排水経路２６から排水ホース９７を経由して食器洗い機の外部に排出される。
【００４７】
次に、排水口１９の構成を、図１３〜図１５を用いて説明する。図１３〜図１５に示されるように、排水口１９は、中央に位置する機外排水口４１と、その周囲に機外排水口４１とは隔離して設けられた中空円環状の循環排水口４２とによって構成されている。
【００４８】
機外排水口４１は、上面、下面、外周面および内周面で囲まれた円環状の機外排水室４３を備えている。機外排水室４３の下面は、水溜部１８のほぼ中央部に一段低く設けられた凹部の底面の一部をさらに凹設して円形に形成された底面で構成されている。機外排水室４３の上面、外周面および内周面は、機外排水口外郭４４で構成されている。
【００４９】
機外排水口外郭４４は、円周状に形成された外周面４４ａと、外周面４４ａと連続させて形成された上面４４ｂと、外周面４４ａを形成する円の中心に、外周面４４ａの下端とほぼ同じ高さから垂直に上面４４ｂより高く設けられた軸部４４ｃと、軸部４４ｃの上端部に水平に円板状に張り出して設けられた洗浄水拡散部４４ｄと、洗浄水拡散部４４ｄと上面４４ｂとを４点で連続させる円周接続部４４ｅとから構成されている。
【００５０】
洗浄水拡散部４４ｄの下部で複数の円周接続部４４ｅの間は、複数の円弧形状の洗浄水排水吸込口４５が設けられている。洗浄水排水吸込口４５は、排水される洗浄水をすみやかに機外排水室４３に導くために十分な面積が確保されて設けられている。
【００５１】
円板状の洗浄水拡散部４４ｄの上面は、排水される洗浄水を円周の全方向に拡散するた
めに、中心部が外周部より高い凸面状に形成されている。
【００５２】
機外排水室４３は、排水経路２６を通じて排水ポンプ２７の吸い込み側に連通している。
【００５３】
循環排水口４２は、上面、下面、外周面および内周面で囲まれた円環状の循環排水室４６を備えている。循環排水室４６の下面は、水溜部１８のほぼ中央部にさらに一段低く設けられた凹部の底面の一部で構成されており、上面、外周面および内周面は、循環排水口外郭４７で構成されている。循環排水口外郭４７の上面４７ａおよび内周面には、多数の孔より成る洗浄水循環吸込口４８が設けられている。洗浄水循環吸込口４８は、水溜部１８のほぼ中央部の一段低い凹部に開放されている。循環排水室４６は、洗浄水循環経路２１を通じて洗浄ポンプ２２の吸い込み側に連通している。
【００５４】
機外排水口外郭４４および循環排水口外郭４７は、樹脂で一体に形成されている。機外排水口外郭４４および循環排水口外郭４７は、洗浄槽２の水溜部１８とは別部材で構成されている。
【００５５】
次に、排水口１９に配設されている残菜フィルタ２３の構成を、図を参照して詳しく説明する。図１４は、本発明の実施の形態１における食器洗い機の残菜フィルタに関連する部分の分解斜視図である。
【００５６】
図１４に示されるように、残菜フィルタ２３は、外周部を形成する第１のフィルタ５１と、第１のフィルタ５１の内側に配設される第２のフィルタ５２によって構成されている。排水口１９に取り付けられる状態においては、第２のフィルタ５２が第１のフィルタ５１の内側に挿入され、係止されて一体化され、第１のフィルタ５１が排水口１９に係止されて固定されている。
【００５７】
第１のフィルタ５１は、底の無い略円筒状に形成されている。円筒状の外周部５１ａは、ステンレス等の金属板で、洗浄水が双方向に流通可能な多数の孔５１ｂがメッシュ状に形成されている。
【００５８】
第２のフィルタ５２は、樹脂材料で有底略円筒状の手桶形状に形成されている。有底略円筒状に形成された本体部５２ａの外周部５２ｂの上面から、上方に伸びる１本の把手部５２ｃが形成されている。把手部５２ｃは、第２のフィルタ５２を第１のフィルタ５１に対し着脱する際に、使用者が手で持って上下方向に操作する。把手部５２ｃは、第１のフィルタ５１と第２のフィルタ５２が一体となった状態で排水口１９対し着脱される際に、使用者が手で持って水平に回転させるように操作する。
【００５９】
第２のフィルタ５２が第１のフィルタ５１の内側に挿入され一体化された状態において、第２のフィルタ５２の外周部５２ｂの外面は、第１のフィルタ５１の外周部５１ａの内面に対向している。第２のフィルタ５２の本体部５２ａの外周部５２ｂには、洗浄水が双方向に流通可能な多数の孔５２ｄが設けられている。この孔５２ｄは、第１のフィルタ５１の孔５１ｂより大きく設定されている。図１３に示されるように、第２のフィルタ５２の底部５２ｅは、その中央部が内側（上側）に傘状に膨出され、第２の洗浄水拡散部５２ｆを形成している。そして、第２のフィルタ５２の底部５２ｅの第２の洗浄水拡散部５２ｆの周囲に、円弧状の複数のスリット５２ｇが形成されている。第２の洗浄水拡散部５２ｆは、排水口１９の循環排水室４６の上面４７ａに設けられた洗浄水循環吸込口４８より高い位置に設けられている。
【００６０】
残菜フィルタ２３が排水口１９に取り付けられた状態では、第１のフィルタ５１の外周
部５１ａの下部が排水口１９の循環排水口４２の内周面に挿入されている。排水口１９に設けられた洗浄水拡散部４４ｄは、第１のフィルタ５１の内側で、第１のフィルタ５１の下端より上側に位置している。また、第２のフィルタ５２の底部５２ｅが機外排水口外郭４４の洗浄水拡散部４４ｄの直上近傍に位置している。したがって、第２のフィルタ５２の底部５２ｅに設けられた第２の洗浄水拡散部５２ｆは、排水口１９に設けられた洗浄水拡散部４４ｄの直上に位置する。第１のフィルタ５１の外周部５１ａの上部半分以上に設けられた孔５１ｂ、および、第２のフィルタ５２の本体部５２ａの外周部５２ｂに設けられた孔５２ｄは、循環排水口外郭４７の上面４７ａより高い位置に設けられ、水溜部１８の内部に臨ませて設けられている。
【００６１】
第１のフィルタ５１および第２のフィルタ５２は、順番は規定されるがそれぞれ個別に取り外しおよび取り付けができるように構成されている。取り外し時を例に取って説明する。まず、第２のフィルタ５２を第１のフィルタ５１から上方に取り外す。次いで、第１のフィルタ５１を排水口１９から回転させて取り外す。なお、第１のフィルタ５１と第２のフィルタ５２が一体化された状態で排水口１９から回転させて取り外すことも、もちろん可能である。
【００６２】
図１４に示されるように、第１のフィルタ５１の外周部５１ａの底部に鍔状に設けられた接続部５１ｃには、爪部５１ｄが円周状に１８０度を成す位置に２ヶ所設けられている。一方、排水口１９の循環排水口外郭４７の内周部４７ｂに設けられた接続部４７ｃには、爪部５１ｄに対応した係止部４７ｄが円周状に２ヶ所配設されている。係止部４７ｄの下面は、傾斜させて形成されている。爪部５１ｄと係止部４７ｄとの位置を合わせて第１のフィルタ５１を上方から挿入したのち、爪部５１ｄを係止部４７ｄの傾斜した下面にガイドさせて右方向に約３０度回転させ、第１のフィルタ５１を循環排水口外郭４７に係止し、排水口１９に固定するよう構成されている。
【００６３】
また、これと逆の動作を行うことにより、第１のフィルタ５１を排水口１９から取り外すことができる構成である。
【００６４】
また、第１のフィルタ５１の外周部５１ａには、ガイド部５１ｉが円周上９０度毎に４ヶ所設けられている。ガイド部５１ｉは、第１のフィルタ５１を排水口１９に対して着脱する際のガイドである。ガイド部５１ｉは、垂直方向に所定長さを有する突起状に形成されている。ガイド部５１ｉは、第１のフィルタ５１の排水口１９に対する円周方向の固定位置を規定するため、４ヶ所のうち１ヶ所が他と異なるサイズに、例えば幅広に形成されている。
【００６５】
なお、図１４に示されるように、水溜部蓋２０が水溜部１８に嵌め込まれた状態でも第１のフィルタ５１を上方に取り出せるように、凹部２０ａの下面の中央の開口２０ｂには第１のフィルタ５１のガイド部５１ｉが上下方向に通過できる切欠き状の逃げ溝２０ｅが円周状に４ヶ所設けられている。逃げ溝２０ｅは、４ヶ所のうち１ヶ所が他と異なるサイズに、例えば幅広に形成されている。第１のフィルタ５１の他と異なるサイズに形成された１ヶ所のガイド部５１ｉを、この他と異なるサイズに形成された１ヶ所の逃げ溝２０ｅに対応させることにより、残菜フィルタ２３が排水口１９に正しい向きに挿入、固定される。
【００６６】
後述される第１のフィルタと第２のフィルタとの位置規定構成と併せて、第２のフィルタ５２の把手部５２ｃを常に手前側に位置させることができ、使用者は、残菜フィルタ２３の取り付け、取り外しを手際よく行うことができる。
【００６７】
第１のフィルタ５１の内周部５１ｅには、第１の係合部５１ｆと第２の係合部５１ｇと
が設けられている。第１の係合部５１ｆと第２の係合部５１ｇは、第２のフィルタ５２を第１のフィルタ５１に対し着脱する際に、第２のフィルタ５２をガイドするものである。第１の係合部５１ｆと第２の係合部５１ｇは、いずれも樹脂製で、互いにほぼ１８０度を成す位置に設けられている。
【００６８】
第１の係合部５１ｆは、第１のフィルタ５１内に挿入され固定されて使用される第２のフィルタ５２を、円周方向の移動を規制しつつ上下方向にガイドし、係合する。第１の係合部５１ｆは、第１のフィルタ５１の内周部５１ｅから内方へ突出させて形成されている。第１の係合部５１ｆは、例えば、円周方向に一対の壁で構成される溝部で形成される。
【００６９】
第２の係合部５１ｇは、第１のフィルタ５１の内周部５１ｅから内方へ突出させて形成されている。第２の係合部５１ｇは、例えば、断面が略三角形の上下方向に適度な長さを有する柱状のリブで形成される。
【００７０】
また、第１の係合部５１ｆおよび第２の係合部５１ｇは、ともに第１のフィルタ５１の上面から上方に突出させて設けられている。使用者が第１の係合部５１ｆと第２の係合部５１ｇに指を掛けて、左方向に約３０度回転させることにより、第１のフィルタ５１を単独で排水口１９から容易に取り外すことができるように構成されている。
【００７１】
なお、第１の係合部５１ｆと第２の係合部５１ｇをともに第１のフィルタ５１の上面から上方に突出させることに替えて、別途、専用の把手部が設けられてもよい。
【００７２】
第２のフィルタ５２には、本体部５２ａの外周部５２ｂの上面から、上方に伸びる１本の把手部５２ｃが形成されている。把手部５２ｃは、略扁平な板状に形成されている。
【００７３】
把手部５２ｃの外側面の本体部５２ａに近い基部は、第１のフィルタ５１の第１の係合部５１ｆに係合される。把手部５２ｃの外側面の基部は、第２のフィルタ５２が第１のフィルタ５１に対し着脱される際に、第１のフィルタ５１の第１の係合部５１ｆに設けられた矩形形状の溝に嵌合され、上下方向にガイドされるとともに、円周方向の移動を規制される。第２のフィルタ５２の第１のフィルタ５１に対する保持を確実にするとともに着脱を容易にするため、把手部５２ｃの基部の外側面は、下方にいくほど内側に傾斜する傾斜面とすることが望ましい。
【００７４】
第２のフィルタ５２の本体部５２ａの外周部５２ｂに溝部５２ｉが形成されている。溝部５２ｉは、第１のフィルタ５１の第２の係合部５１ｇに係合される。溝部５２ｉは、第２のフィルタ５２が第１のフィルタ５１に対し着脱される際に、第１のフィルタ５１の第２の係合部５１ｇによって上下方向にガイドされるとともに、円周方向の移動を規制される。したがって、溝部５２ｉは、例えば、断面が第２の係合部５１ｇよりやや大きい略三角形で、下端が開放された上下方向に必要な長さを有する溝で形成される。
【００７５】
また、第２のフィルタ５２の本体部５２ａの外周部５２ｂには、係止部５２ｈが本体部５２ａと一体に形成されている。係止部５２ｈは、下部が片持ち支持され上部が外側に膨らんだ板状に形成されている。係止部５２ｈは、溝部５２ｉに対し約９０度を成す左右位置に２個設けられている。係止部５２ｈは、第２のフィルタ５２の内側方向に弾性的に変形可能に構成されており、内側方向に変形されると、外側に向かって付勢される。係止部５２ｈは、第２のフィルタ５２が第１のフィルタ５１の内部に挿入されると、第１のフィルタの係止部５１ｊに係止され、第２のフィルタ５２が第１のフィルタ５１に着脱自在に固定される。
【００７６】
以上のように、第１のフィルタ５１と第２のフィルタ５２は、第１の係合部５１ｆと第
２の係合部５１ｇとによって構成される第１のフィルタ５１の係合部と、把手部５２ｃの基部と溝部５２ｉとによって構成される第２のフィルタ５２の係合部とによって、一体で回転するように係合され、係止部５２ｈによって固定される。また、双方の係合部は形状が異なるので、第１のフィルタ５１と第２のフィルタ５２の一体化に際して互いの向きは規定される。
【００７７】
また、図１４および図１５に示されるように、第１のフィルタ５１の上面の開口部は、１８０度を成す２ヶ所の位置において、円周から弦状に内側に張り出されて形成されている。一方、第２のフィルタ５２の外周部５２ｂも、１８０度を成す２ヶ所の位置において、弦状にカットされた形状（いわゆるＨカット）をなして形成されている。この構成によって、第２のフィルタ５２が第１のフィルタ５１に装着される際に、向きが規定される。また、装着された状態で、双方の弦状部分が嵌合されることにより、互いの回転方向の規制が強化され、一体化がより確実なものとなる。
【００７８】
また、図示は省略するが、水溜部蓋２０の下面の開口２０ｂの近傍にはストッパーが設けられている。残菜フィルタ２３もしくは第１のフィルタ５１単体が、排水口１９から取り外される際に約３０度左方向に回転されたとき、水溜部蓋２０の前記ストッパーによって、第１のフィルタ５１は、それ以上の回転を阻止される。そのとき、第１フィルタ５１のガイド部５１ｉは水溜部蓋２０の逃げ溝２０ｅに対応する位置の直下に位置するように構成されている。この状態で、残菜フィルタ２３もしくは第１のフィルタ５１単体を上方に移動させることにより、排水口１９から容易に取り外すことができる。
【００７９】
残菜フィルタ２３は、捕集された残菜の除去および清掃を頻繁に行う必要がある。その際、第２のフィルタ５２のみ清掃したい場合、第１のフィルタ５１のみ清掃したい場合、両方同時に清掃したい場合等、使用者の要求は多様である。本実施の形態の残菜フィルタ２３のように構成することにより、使用者の多様な要求に応えることができる。
【００８０】
以上のように構成された食器洗い機について、その動作および作用を説明する。
【００８１】
使用者が下扉体５の扉体オープンボタン１１を押し込むと、扉体ロック装置１２のロックが解除され、下扉体５の上端部が少し前方に開かれる。次いで、使用者が下扉体５の上端部に手を掛け前方下方に引くことによって、下扉体５は本体１の前方下方に開かれる。このとき、上扉体４も扉体開閉機構１０によって連動して本体１の前方下方に開かれる。そして、上扉体４と下扉体５は、上扉体４が下扉体５の上に重なった状態で、ほぼ水平状態まで開成され、洗浄槽２の前面の開口部３は前方に開放される。
【００８２】
使用者は、開放された洗浄槽２の開口部３から下食器かご８を前方に引き出し、洗浄したい被洗浄物６を下食器かご８にセットする。本実施の形態における下食器かご８は、下記のような被洗浄物６がセットされるのに適した構成となっている。箸、フォーク、スプーン等は、下食器かご８の中央やや右寄りに設けられた専用の小物入れ８９に収容される。小物入れ８９の右側には、大皿、ラーメン鉢等の比較的大きい食器が収容される。小物入れ８９の左側の第３のセットかご８８には、丼鉢、小鉢、中皿等が収容される。
【００８３】
下食器かご８に被洗浄物６のセッティングが終了すると、使用者は、下食器かご８を洗浄槽２内に押し込み収容する。
【００８４】
次に、使用者は、上食器かご７を前方に引き出し、洗浄したい被洗浄物６を上食器かご７にセットする。本実施の形態における上食器かご７は、下記のような被洗浄物６がセットされるのに適した構成となっている。上食器かご７の左側の第１のセットかご７８には、茶碗、汁椀、小皿等が収容される。上食器かご７の右側の第２のセットかご７９には、
コップ、弁当箱、碗類等が収容される。
【００８５】
次に、使用者は、適量の洗剤を下食器かご８に設けられた洗剤投入部９０から洗浄槽２の水溜部１８に投入し、上扉体４および下扉体５を閉じる。使用者は、操作表示部１３によって電源を投入し、運転コースおよび時間等の条件を入力し、スタートボタンを押す。すると、制御部は、食器洗い機の運転を開始し、入力された条件にしたがって洗浄工程、すすぎ工程、乾燥工程を順に実行する。
【００８６】
まず、給水弁が動作して、所定量の洗浄水が洗浄槽２内に給水される。給水弁が停止し、給水が終わると、洗浄ポンプ２２が駆動される。洗浄水はヒータ２５によって加熱され、洗浄ポンプ２２によって加圧されて、分水部から第１の回転洗浄ノズル１４、第２の回転洗浄ノズル１５、固定洗浄ノズル１６および固定洗浄ノズル１６と連通された第３の回転洗浄ノズル１７に選択的に分水されて送水される。
【００８７】
分水部は、例えば、第１の回転洗浄ノズル１４、第１の回転洗浄ノズル１４と第２の回転洗浄ノズル１５、第２の回転洗浄ノズル１５、固定洗浄ノズル１６とそれに連通した第３の回転洗浄ノズル１７の順に所定時間毎に洗浄水の送水を切り替えるように動作する。
【００８８】
洗浄水が噴射されて被洗浄物６から脱落した残菜は、水溜部蓋２０および残菜フィルタ２３によって捕集される。また、洗浄水の温度は温度センサ２９によって検出されており、洗浄水の温度が所定温度を超えるとヒータ２５への通電が停止される。これによって、洗浄水は、常に洗浄に適した温度に維持される。
【００８９】
所定時間の洗浄工程が終了すると、汚れを含む洗浄水は排水ポンプ２７によって機外に排出され、洗浄槽２内に新たに洗浄水が給水される。給水された洗浄水は洗浄ポンプ２２によって加圧され、第１の回転洗浄ノズル１４、第２の回転洗浄ノズル１５、固定洗浄ノズル１６および固定洗浄ノズル１６と連通された第３の回転洗浄ノズル１７に送給される。送給された洗浄水は、各洗浄ノズルの噴射孔から噴射され、被洗浄物６に付着した洗剤や残菜等を洗い流すすすぎ工程が実行される。
【００９０】
このすすぎ工程は、所定時間、すすぎ動作が行われた後、すすぎ動作によって被洗浄物６から洗剤や残菜が洗い出された洗浄水は、排水ポンプ２７によって機外に排出される。そして、洗浄槽２内には新たな洗浄水が給水され、再びすすぎ動作が行われる。標準設定では、このすすぎ動作が３回実行され、洗浄水が排水ポンプ２７によって機外に排出されて、すすぎ工程は終了する。
【００９１】
ここで、洗浄およびすすぎ動作時と排水動作時の残菜フィルタ２３および排水口１９まわりの洗浄水の流れについて、図を参照して説明する。図１６は、洗浄およびすすぎ動作時の残菜フィルタ２３および排水口１９まわりの洗浄水の流れを示す説明図である。図１７は、排水動作時の残菜フィルタ２３および排水口１９まわりの洗浄水の流れを示す説明図である。
【００９２】
洗浄およびすすぎ動作時においては、水溜部１８に溜まった洗浄水は、洗浄ポンプ２２によって吸引され、循環排水口外郭４７の上面４７ａに設けられた多数の孔から成る洗浄水循環吸込口４８から洗浄水循環経路２１に吸い込まれる。洗浄水循環吸込口４８は、残菜フィルタ２３より外側に円周状に設けられている。また、洗浄水循環吸込口４８は、第１のフィルタ５１の外周部５１ａに設けられた孔５１ｂおよび第２のフィルタ５２の本体部５２ａの外周部５２ｂに設けられた孔５２ｄの大半より低い位置に設けられている。また、洗浄水循環吸込口４８は、第２のフィルタ５２の底部５２ｅに設けられた第２の洗浄水拡散部５２ｆより低い位置に設けられている。
【００９３】
この構成によって、洗浄およびすすぎ動作時においては、洗浄水は、図１６に示されるように、概ね矢印Ｃで表示されたように流れる。洗浄水は、第１のフィルタ５１の孔５１ｂおよび第２のフィルタ５２の孔５２ｄにおいて、概ね内側から外側に向かって流れる。
【００９４】
このとき、循環される洗浄水に含まれる残菜や汚れは、大きい残菜は第２のフィルタ５２によって捕集され、細かい残菜および汚れは第１のフィルタ５１によって捕集される。特に、洗浄水に含まれる汚れは第１のフィルタ５１の内周面に付着する。汚れの第１のフィルタ５１の内周面への付着は、洗浄水循環経路２１に近い部分に集中する傾向があるが、排水口１９に設けられた洗浄水拡散部４４ｄおよび第２のフィルタ５２に設けられた第２の洗浄水拡散部によって全周に均等に拡散されることにより、細かい残菜や汚れが第１のフィルタ５１の内周面の一部に集中して付着することが抑制される。
【００９５】
一方、排水動作時においては、水溜部１８に溜まった洗浄水は、排水ポンプ２７によって吸引され、機外排水口外郭４４の上面４４ｂおよび円周接続部４４ｅに設けられた洗浄水排水吸込口４５から排水経路２６に吸い込まれる。洗浄水排水吸込口４５は、残菜フィルタ２３よりほぼ下側かつ内側に円周状に設けられている。また、残菜フィルタ２３は、外周部が水溜部１８に臨ませてあり、水溜部１８は従来のものより大幅に容積を大きく設定してあり、排水時においても、残菜フィルタ２３の外周部まわりに相当の量の洗浄水が存在している。排水直前の状態では、残菜フィルタ２３の外周部まわりの水溜部１８に存在する洗浄水の量は、残菜フィルタ２３の直上部に存在する洗浄水の量より多い。
【００９６】
この構成によって、排水動作時においては、洗浄水は、図１７に示されるように、概ね矢印Ｄで表示されたように流れる。洗浄水は、第１のフィルタ５１の孔５１ｂおよび第２のフィルタ５２の孔５２ｄにおいて、概ね外側から内側に向かって流れる。
【００９７】
したがって、洗浄およびすすぎ時に第１のフィルタ５１の内周面に付着した汚れおよび細かい残菜は、外側から内側へと流れる洗浄水（排水される洗浄水）によって洗い落とされ、排水される洗浄水とともに機外へと排出される。この際、主に排水口１９に設けられた洗浄水拡散部４４ｄによって、排水口１９から排水される洗浄水が底部の内部で全周にわたって拡散されることにより、第１のフィルタ５１の内周面に付着した汚れおよび残菜の洗い落としが促進される。
【００９８】
また、排水口１９の中央上からくる排水の流れの洗浄水は、洗浄水拡散部４４ｄによって拡散されて第１のフィルタ５１の内周面に導かれ、第１のフィルタ５１の内周面に付着した汚れおよび細かい残菜の洗い落としが促進される。
【００９９】
すすぎ工程が終了すると、乾燥工程が実行される。乾燥装置３０が動作し、内蔵されたファン３１によって洗浄槽２内に送給される外気がヒータによって加熱され、送風と加温との両方の効果によって、被洗浄物６に付着した水滴の蒸発が行われる。この乾燥が所定時間実施された後、乾燥装置３０の運転が停止されて乾燥工程が終了する。被洗浄物６の洗浄のすべての工程が終了し、選択された運転コースの実行が終了する。
【０１００】
本実施の形態における食器洗い機には、洗浄効率を向上させる目的と、洗浄水を循環させる洗浄ポンプ２２や各洗浄ノズルを保護する目的とにより、洗浄水に含まれる残菜や汚れを捕集する残菜フィルタ２３が取り外し可能に設置されている。残菜フィルタ２３は、定期的に清掃される必要がある。
【０１０１】
その際の残菜フィルタ２３の取り外し手順について、図１５を用いて説明する。
【０１０２】
図１５（ａ）は、残菜フィルタ２３が洗浄槽２の排水口１９に取り付けられた状態を示している。
【０１０３】
比較的大きな残菜が第２のフィルタ５２に捕集されるので、第２のフィルタ５２のみ取り外して清掃したい場合が多い。この場合は、残菜フィルタ２３が排水口１９に係止され固定された状態で第２のフィルタ５２の把手部５２ｃを上方に引っ張ることにより、図１５（ｂ）に示されるように、第２のフィルタ５２のみ単独で取り外すことができる。なお、この後、第１のフィルタ５１の第１の係合部５１ｆと第２の係合部５１ｇの上方突出部に指を掛けて左方向に約３０度回転させれば、第１のフィルタ５１を単独で排水口１９から係止固定解除し、取り外すことができる。
【０１０４】
この取り外し手順によれば、必要に応じて、第２のフィルタ５２と第１のフィルタ５１を、それぞれ単独で取り外すことができるので、使用者は、取り外し作業時に汚れた部分に触れる必要がなく、清潔に清掃作業を行うことができる。
【０１０５】
また、使用者は、第２のフィルタ５２の把手部５２ｃを持ち、左方向に約３０度回転させると、図１５（ｃ）に示された状態となる。この状態で、残菜フィルタ２３は排水口１９に対する係止が外れているので、上方に引くことにより、図１５（ｄ）に示されるように、第１のフィルタ５１と第２のフィルタ５２が一体となった状態で残菜フィルタ２３を取り外すことができる。なお、この際、水溜部蓋２０の開口２０ｂには、第１のフィルタ５１の外周のガイド部５１ｉを通過させられる切欠き状の逃げ溝２０ｅが設けられている。したがって、残菜フィルタ２３の取り外しは、水溜部蓋２０が水溜部１８に載置された状態で行うことができる。
【０１０６】
残菜フィルタ２３を取り外した後、使用者は、排水口１９の内面、残菜フィルタ２３の第１のフィルタ５１の外面、第２のフィルタ５２の内面を清掃することができる。
【０１０７】
なお、この際、第１のフィルタ５１の内面、第２のフィルタ５２の外面も合わせて清掃したい場合は、第２のフィルタ５２の把手部５２ｃを上方に引っ張れば、第２のフィルタ５２を第１のフィルタ５１から取り外すことができる。
【０１０８】
この取り外し手順によれば、使用者は、排水口１９の内面、残菜フィルタ２３の第１のフィルタ５１の外面、第２のフィルタ５２の内面を効率よく清掃することができる。
【０１０９】
以上のように、本実施の形態における食器洗い機は、残菜フィルタ２３は、互いに着脱自在に固定される第１のフィルタ５１と第２のフィルタ５２によって構成され、第１のフィルタ５１と第２のフィルタ５２が固定され一体となった状態で排水口１９から取り外し可能で、かつ、第１のフィルタ５１と第２のフィルタ５２のそれぞれを単独でも排水口１９から取り外し可能に構成されている。この構成によって、複数のフィルタを備え、使用時には排水口１９に固定され、そして相互間が固定されておりながら、使用者の清掃要望に応じて多様な取り外しが可能である。
【０１１０】
また、第１のフィルタ５１は、略円筒状に形成され外周部５１ａに洗浄水が流通可能な多数の孔５１ｂを有し、第２のフィルタ５２は、有底略円筒状に形成され外周部５２ｂに洗浄水が流通可能な多数の孔５２ｄを有し、第１のフィルタ５１の内側に着脱自在に固定され、残菜フィルタ２３は、第２のフィルタ５２を排水口１９に対して所定角度回転させることにより、第１のフィルタ５１と第２のフィルタ５２とが固定され一体となった状態で排水口１９から取り外されるように構成されている。この構成によって、使用者が排水口１９の内面および残菜フィルタ２３の全体などを清掃したい場合に、掴みやすい第２のフィルタ５２を操作することにより、第１のフィルタ５１と第２のフィルタ５２とが一体
となった状態で排水口１９から容易に取り外せるので、残菜フィルタ２３の清掃作業性を向上させることができる。
【０１１１】
また、第２のフィルタ５２は、上面に把手部５２ｃを備え、残菜フィルタ２３は、把手部５２ｃを所定角度回転させることにより排水口１９から取り外される。この構成によって、使用者が排水口１９の内面および残菜フィルタ２３の全体などを清掃したい場合に、より軽い力で簡単に第１のフィルタ５１と第２のフィルタ５２とが一体となった状態で残菜フィルタ２３を取り外せるので、残菜フィルタ２３の清掃作業性を向上させることができる。
【０１１２】
また、第２のフィルタ５２は、第１のフィルタ５１に着脱自在に固定される係止部５２ｈを備えたことにより、第２のフィルタ５２は第１のフィルタ５１から容易に取り外されることができる。
【０１１３】
また、第１のフィルタ５１と第２のフィルタ５２とは、一体で回転するように互いに係合部が設けられたことにより、第１のフィルタ５１は、第２のフィルタ５２とともに回転するようになり、使用者は、第２のフィルタ５２を回転させることにより、第１のフィルタ５１も回転させて、第１のフィルタ５１と第２のフィルタ５２とが固定され一体となった状態で残菜フィルタ２３を取り外すことができる。
【０１１４】
また、第１のフィルタ５１は、第２のフィルタ５２の把手部５２ｃの基部が係合する第１の係合部５１ｆと、第１の係合部５１ｆの対角位置に第２の係合部５１ｇとを内周部５１ｅに備えている。この構成によって、第１のフィルタ５１と第２のフィルタ５２とが一体となった状態で取り外す時には、第２のフィルタ５２を第１のフィルタ５１にしっかり保持させた状態を維持して取り外すことができる。また、取りはずされた第２のフィルタ５２を第１のフィルタ５１に取り付ける際に、円周方向の位置決めが成された状態で取り付けることができるので、取り付け作業を効率的に行うことができる。
【０１１５】
また、第１のフィルタ５１の第１の係合部５１ｆおよび第２の係合部５１ｇは、第１のフィルタ５１の上面より上方に突出させて設けられ、使用者が第１の係合部５１ｆと第２の係合部５１ｇとに指を掛けて所定角度回転させることにより、第１のフィルタ５１は単独で排水口１９から取り外されるように構成されている。この構成によって、使用者が第１の係合部５１ｆと第２の係合部５１ｇとに指を掛けて容易に回転させることができる。これにより、第１のフィルタ５１を単独で排水口１９から容易に取り外すことができる。
【０１１６】
また、第１のフィルタ５１は、排水口１９に固定された状態では水溜部蓋２０より下方に位置し、水溜部蓋２０が水溜部１８を覆った状態で排水口１９から取り外せる。これにより、水溜部蓋２０を取り付けたままでも残菜フィルタ２３の排水口１９に対する着脱作業を効率的に行うことができる。
【産業上の利用可能性】
【０１１７】
以上のように、本発明にかかる食器洗い機は、複数のフィルタを備え、使用時には排水口に固定され、そして相互間が固定されておりながら、使用者の清掃要望に応じて多様な取り外しが可能な残菜フィルタを備えた食器洗い機を提供することができるので、キッチンのワークトップ等に載置して使用される家庭用の食器洗い機等として有用である。
【符号の説明】
【０１１８】
１  本体
２  洗浄槽
３  開口部
４  上扉体（扉体）
５  下扉体
６  被洗浄物
７  上食器かご
８  下食器かご
１４  第１の回転洗浄ノズル（洗浄装置）
１５  第２の回転洗浄ノズル（洗浄装置）
１６  固定洗浄ノズル（洗浄装置）
１７  第３の回転洗浄ノズル（洗浄装置）
１７ａ  回転洗浄ノズル導水路
１８  水溜部
１９  排水口
２０  水溜部蓋
２１  洗浄水循環経路
２２  洗浄ポンプ
２３  残菜フィルタ
２５  ヒータ
２６  排水経路
２７  排水ポンプ
２９  温度センサ
３０  乾燥装置
４１  機外排水口
４２  循環排水口
４４ｄ  洗浄水拡散部
４５  洗浄水排水吸込口
４７ｄ  係止部
４８  洗浄水循環吸込口
５１  第１のフィルタ
５１ｄ  爪部
５１ｆ  第１の係合部
５１ｇ  第２の係合部
５１ｉ  ガイド部
５２  第２のフィルタ
５２ｃ  把手部
５２ｆ  第２の洗浄水拡散部
５２ｈ  係止部
５２ｉ  溝部
【図１】
2019030517.tif 000003
【図２】
2019030517.tif 000004
【図３】
2019030517.tif 000005
【図４】
2019030517.tif 000006
【図５】
2019030517.tif 000007
【図６】
2019030517.tif 000008
【図７】
2019030517.tif 000009
【図８】
2019030517.tif 000010
【図９】
2019030517.tif 000011
【図１０】
2019030517.tif 000012
【図１１】
2019030517.tif 000013
【図１２】
2019030517.tif 000014
【図１３】
2019030517.tif 000015
【図１４】
2019030517.tif 000016
【図１５】
2019030517.tif 000017
【図１６】
2019030517.tif 000018
【図１７】
2019030517.tif 000019
【図１８】
2019030517.tif 000020
【図１９】
2019030517.tif 000021